(57)【要約】【課題】ユーザ側が現在割り当てられていた共通パケットチャネル（CPCH）を介してパケットを伝送しているとき、より迅速に緊急停止を行えるようにした共通パケットチャネルに対する緊急停止制御情報の伝送方法を提供すること。【解決手段】共通パケットチャネル（CPCH）に対する緊急停止制御情報の伝送方法は、ユーザ側（UE）が割り当てられた上向けリンク（UL）共通パケットチャネル（CPCH）を介してネットワークにパケットデータを伝送する無線移動通信システムにおいて、ネットワーク側（UTRAN）が特定のビットパターンを下向けリンク（DL）専用物理チャネル（DPCH）に挿入した後、ユーザ側（UE）に特定のビットパターンを伝送する第１段階と、ユーザ側（UE）が該特定のビットパターンを認識する第２段階と、該ユーザ側（UE）が上向けリンク（UL）共通パケットチャネル（CPCH）を介したデータ電送を制御する第３段階とを備えていることを特徴とする。【選択図】図３
2006148944.tif 000002
【特許請求の範囲】
【請求項１】
ユーザ側（ＵＥ）が割り当てられた上向けリンク（ＵＬ）共通パケットチャネル（ＣＰＣＨ）を介してネットワークにパケットデータを伝送する無線移動通信システムにおいて、
ネットワーク側（ＵＴＲＡＮ）が特定のビットパターンを下向けリンク（ＤＬ）専用物理チャネル（ＤＰＣＨ）に挿入した後、ユーザ側（ＵＥ）に前記特定のビットパターンを伝送する第１段階と、
該ユーザ側（ＵＥ）が該特定のビットパターンを認識する第２段階と、
該ユーザ側（ＵＥ）が上向けリンク（ＵＬ）共通パケットチャネル（ＣＰＣＨ）を介したデータ電送を制御する第３段階とを備えていることを特徴とする、共通パケットチャネル（ＣＰＣＨ）に対する緊急停止制御情報の伝送方法。
【請求項２】
前記第１段階で前記特定のビットパターンを前記下向けリンク（ＤＬ）専用物理チャネル（ＤＰＣＨ）の無線フレーム全体に亘ってスロット毎に伝送することを特徴とする、請求項１記載の共通パケットチャネルに対する緊急停止制御情報の伝送方法。
【請求項３】
前記第１段階で前記下向けリンク（ＤＬ）専用物理チャネル（ＤＰＣＨ）のデータチャネル（ＤＰＤＣＨ）へ特定のパターンのビット列を伝送することを特徴とする請求項１記載の共通パケットチャネルに対する緊急停止制御情報の伝送方法。
【請求項４】
前記第１段階で前記下向けリンク（ＤＬ）専用物理チャネル（ＤＰＣＨ）のデータチャネル（ＤＰＤＣＨ）へ一般のパターンのビット列を繰り返して伝送した後、前記データチャネル（ＤＰＤＣＨ）へ前記一般のパターンのビット列とは異なる特定のパターンのビット列を伝送することを特徴とする請求項３記載の共通パケットチャネルに対する緊急停止制御情報の伝送方法。    
【請求項５】
前記第１段階で前記ネットワーク側（ＵＴＲＡＮ）が前記下向けリンク（ＤＬ）専用物理チャネル（ＤＰＣＨ）のデータチャネル（ＤＰＤＣＨ）に特定のビットパターンを挿入させ伝送するとき、前記下向けリンク（ＤＬ）専用物理チャネル（ＤＰＣＨ）の制御チャネル（ＤＰＣＣＨ）に伝送全力下降命令ビットを挿入させ伝送することを特徴とする、請求項３記載の共通パケットチャネルに対する緊急停止制御情報の伝送方法。
【請求項６】
前記第１段階で前記特定のビットパターンを挿入させ伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成するパイロットフィールドに特定のビットパターンを挿入させ、前記ユーザ側（ＵＥ）へ伝送することを特徴とする、請求項１記載の共通パケットチャネルに対する緊急停止制御情報の伝送方法。
【請求項７】
前記パイロットフィールドに挿入させる特定のビットパターンは、前記下向けリンク共通パケットチャネルを介して現在パケットが伝送されている一般の状態で伝送されるパイロットビットパターンとは異なるパイロットビットパターンを伝送することを特徴とする、請求項６記載の共通パケットチャネルに対する緊急停止制御情報の伝送方法。
【請求項８】
前記第１段階で前記特定のビットのパターンは前記一般の状態で伝送されるパイロットビットパターンの符号を反転させることを特徴とする請求項７記載の共通パケットチャネルに対する緊急停止制御情報の伝送方法。  
【請求項９】
前記一般の状態で伝送されるパイロットのフィールドに挿入されるビット列の半分を反転させて伝送することを特徴とする請求項７記載の共通パケットチャネルに対する緊急停止制御情報の伝送方法。
【請求項１０】
前記第１段階で前記ユーザ側に特定の制御情報を伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成する伝送電力制御（ＴＰＣ）フィールドに特定のビットパターンを挿入させ、前記ユーザ側（ＵＥ）へ伝送することを特徴とする請求項１記載の共通パケットチャネルに対する緊急停止制御情報の伝送方法。
【請求項１１】
前記伝送電力制御（ＴＰＣ）フィールドに前記特定のビットパターンを挿入させ伝送するとき、前記下向けリンク専用物理チャネル（ＤＰＣＨ）の制御チャネル（ＤＰＣＣＨ）のパイロットフィールドに一般的なパイロットビットパターンとは異なるパイロットビットパターンを伝送することを特徴とする請求項１０記載の共通パケットチャネルに対する緊急停止制御情報の伝送方法。
【請求項１２】
前記下向けリンク（ＤＬ）専用物理チャネル（ＤＰＣＨ）のデータチャネル（ＤＰＤＣＨ）と前記下向けリンク（ＤＬ）専用物理チャネル（ＤＰＣＨ）の制御チャネル（ＤＰＣＣＨ）を介して伝送されるパイロットビットは一般の状態であるときと前記特定のビットパターンを挿入するとき、互いに直交するか異なる符号を有することを特徴とする、請求項１１記載の共通パケットチャネルに対する緊急停止制御情報の伝送方法。
【請求項１３】
前記伝送電力制御（ＴＰＣ）フィールドに挿入される前記特定のビットパターンが前記下向けリンク専用物理チャネル（ＤＰＣＨ）の制御チャネル（ＤＰＣＣＨ）を介して伝送されるビットパターンと直交性を有するようにすることを特徴とする請求項１０記載の共通パケットチャネルに対する緊急停止制御情報の伝送方法。
【請求項１４】
前記下向けリンク専用物理チャネル（ＤＰＣＨ）のデータチャネル（ＤＰＤＣＨ）を介して伝送されるビットパターンは前記下向けリンク専用物理チャネルの制御チャネル（ＤＰＣＣＨ）を介して伝送される伝送電力制御（ＴＰＣ）ビットパターンまたはパイロットビットパターンと前記特定の制御情報を伝送するときに互いに直交するか異なる符号を有することを特徴とする、請求項１３記載の共通パケットチャネルに対する緊急停止制御情報の伝送方法。
【請求項１５】
前記共通パケットチャネルに対する制御情報伝送は前記下向けリンク専用物理チャネルの制御チャネルを介して伝送フォーマット組合せ識別子（ＴＦＣＩ）ビットを伝送する場合に適用されることを特徴とする請求項１４記載の共通パケットチャネルに対する緊急停止制御情報の伝送方法。
【請求項１６】
前記共通パケットチャネルに対する制御情報伝送は前記下向けリンク専用物理チャネルの制御チャネルを介して伝送フォーマット組合せ識別子ビットを伝送しない場合に適用されることを特徴とする、請求項１３記載の共通パケットチャネルに対する緊急停止制御情報の伝送方法。
【請求項１７】
現在割り当てられた上向けリンク（ＵＬ）共通パケットチャネル（ＣＰＣＨ）を介してユーザ側（ＵＥ）が該パケットを伝送する段階と、
前記ユーザ側（ＵＥ）にパケット伝送中止を命令するための制御情報を伝送しようとするとき、ネットワーク側（ＵＴＲＡＮ）が下向けリンク（ＤＬ）の専用物理チャネル（ＤＰＣＨ）に特定のビットパターンを挿入して前記ユーザ側（ＵＥ）へ伝送する段階と、前記ユーザ側（ＵＥ）が前記伝送された特定のビットパターンを確認した後、前記共通パケットチャネル（ＣＰＣＨ）を介したパケット伝送を中止する段階とからなることを特徴とする、共通パケットチャネルに対する緊急停止制御情報の伝送方法。
【請求項１８】
前記特定のビットパターンを前記下向けリンク（ＤＬ）専用物理チャネル（ＤＰＣＨ）の無線フレーム全体に亘ってスロット毎に伝送することを特徴とする、請求項１７記載の共通パケットチャネルに対する緊急停止制御情報の伝送方法。
【請求項１９】
前記下向けリンク（ＤＬ）専用物理チャネル（ＤＰＣＨ）のデータチャネル（ＤＰＤＣＨ）に特定のパターンのビット列を伝送することを特徴とする、請求項１７記載の共通パケットチャネルに対する緊急停止制御情報の伝送方法。
【請求項２０】
前記特定のビットのパターンを挿入させ、伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成するパイロットフィールドに特定のビットパターンを挿入させ、前記ユーザ側（ＵＥ）へ伝送することを特徴とする、請求項１７記載の共通パケットチャネルに対する緊急停止制御情報の伝送方法。
【請求項２１】
前記ユーザ側に特定の制御情報を伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成する伝送電力制御（ＴＰＣ）フィールドに特定のビットパターンを挿入させ、前記ユーザ側（ＵＥ）へ伝送することを特徴とする、請求項１７記載の共通パケットチャネルに対する緊急停止制御情報の伝送方法。
【発明の詳細な説明】
【技術分野】
【０００１】
本発明は移動通信に係り、特に、広帯域符号分割多重接続（Ｗ−ＣＤＭＡ）方式の移動通信システムでパケット伝送に用いられる上向けリンク共通パケットチャネル（ＣＰＣＨ）に対する緊急停止制御情報の伝送方法に関する。
【背景技術】
【０００２】
一般的にＩＭＴ−２０００移動通信スタンダードを制定する機構の一つである第３世代共同プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ  Ｇｒｏｕｐ）の標準説明書（ｓｐｅｃｉｆｉｃａｔｉｏｎ）には上向けリンク（ＵＬ）及び下向けリンクの伝送チャネルと物理チャネルに対する定義及びそれの説明が記述されている。
【０００３】
３ＧＰＰスタンダードで定義される伝送チャネルのうち共通パケットチャネル（ＣＰＣＨ）は上向けリンク（ＵＬ）で使われるもので、比較的中間の大きさまたは小さい大きさのパケットを伝送するために使われ、次に説明する下向けリンク（ＤＬ）物理チャネルである専用物理チャネル（ＤＰＣＨ：Ｄｅｄｉｃａｔｅｄ  Ｐｈｙｓｉｃａｌ  Ｃｈａｎｎｅｌ）の二つのタイプのうち専用物理制御チャネル（ＤＰＣＣＨ：Ｄｅｄｉｃａｔｅｄ  Ｐｈｙｓｉｃａｌ  Ｃｏｎｔｒｏｌ
Ｃｈａｎｎｅｌ）と関係する。
【０００４】
物理チャネルの一つである専用物理チャネル（ＤＰＣＨ）は一般的にスーパーフレーム、無線フレーム及びタイムスロットの三つの階層構造からなるもので、図１にはかかる専用物理チャネル（ＤＰＣＨ）の構造のうち下向けリンク（ＤＬ）で使われる構造を示している。
【０００５】
専用物理チャネル（ＤＰＣＨ）は二つのタイプがあり、これは上位階層のデータを伝達するための専用物理データチャネル（ＤＰＤＣＨ：Ｄｅｄｉｃａｔｅｄ
Ｐｈｙｓｉｃａｌ  Ｄａｔａ  Ｃｈａｎｎｅｌ）と物理階層の制御情報を伝達するためのＤＰＣＣＨである。
【０００６】
図１は３ＧＰＰスタンダードによる下向けリンク（ＤＬ）専用物理チャネル（ＤＰＣＨ）の構造を示す図面である。
【０００７】
図１で制御情報を伝達する下向けリンク（ＤＬ）ＤＰＣＣＨはパイロットフィールド、伝送フォーマット組合せ識別子（ＴＦＣＩ：ｔｒａｎｓｐｏｒｔ  ｆｏｒｍａｔ  ｃｏｍｂｉｎａｔｉｏｎ  ｉｎｄｉｃａｔｏｒ）フィールド、フィードバック情報（ＦＢＩ：ｆｅｅｄ−ｂａｃｋ  ｉｎｆｏｒｍａｔｉｏｎ）フィールド及び伝送電力制御（ＴＰＣ：ｔｒａｎｓｐｏｒｔ  ｐｏｗｅｒ  ｃｏｎｔｒｏｌ）フィールドのような複数のフィールドから構成されている。
【０００８】
図２は３ＧＰＰスタンダードによる下向けリンクＤＰＣＣＨと共通パケットチャネル（ＣＰＣＨ）間の関係を説明するための図面であって、図示の下向けリンク（ＤＬ）ＤＰＣＣＨは共通パケットチャネル（ＣＰＣＨ）の電力制御のために使われ、このように下向けリンク（ＤＬ）ＤＰＣＣＨが共通パケットチャネル（ＣＰＣＨ）の電力制御に使われるときは専用物理チャネル（ＤＰＣＨ）へデータが電送されないため、ＤＰＤＣＨは電送されず、ＤＰＣＣＨのみ伝送される。
【０００９】
特に、このときはＤＰＣＣＨへパイロットビットと伝送電力制御（ＴＰＣ）ビットのみが伝送され、かかる場合における下向けリンク（ＤＬ）ＤＰＣＣＨとＤＰＤＣＨについてのチャネル情報を表１に示した。
【００１０】
【表１】
2006148944.tif 000003
このようなチャネルを使う３ＧＰＰスタンダードによるシステムは基地局（Ｃｅｌｌ）間の信号を同期化せず、セル内でも下向けリンクは信号を同期化しない非同期方式となっているので、多数のユーザ側（ＵＥ：Ｕｓｅｒ  Ｅｑｕｉｐｍｅｎｔ）が効果的に信号を伝送するためにはランダムアクセス（Ｒａｎｄｏｍ  ａｃｃｅｓｓ）方式が適用される。
【００１１】
競合方式のランダムアクセス方式でパケットを伝送するユーザ側に対してネットワーク側（ＵＴＲＡＮ：Ｕｎｉｖｅｒｓａｌ  ｍｏｂｉｌｅ  Ｔｅｒｒｅｓｔｒｉａｌ  Ｒａｄｉｏ  Ａｃｃｅｓｓ  Ｎｅｔｗｏｒｋ）は使用可能な共通パケットチャネル（ＣＰＣＨ）をユーザ側に割り当てる。
【００１２】
その後、上向けリンク（ＵＬ）共通パケットチャネル（ＣＰＣＨ）を介してパケットが伝送されるが、パケット伝送の前、まず一定の時間の間ＤＰＣＣＨのみを使って上向けリンク（ＵＬ）共通パケットチャネル（ＣＰＣＨ）に対する電力制御を行う。
【００１３】
まず、ネットワーク側（ＵＴＲＡＮ）では共通パケットチャネル（ＣＰＣＨ）に対して信号対干渉比（ＳＩＲ：Ｓｉｇｎａｌ  ｔｏ  Ｉｎｔｅｒｆｅｒｅｎｃｅ  Ｒａｔｉｏ）を測定し、この測定値に基づいて伝送電力制御（ＴＰＣ）ビットを作り、下向けリンク（ＤＬ）ＤＰＣＣＨを介して伝送する。
【００１４】
また、ユーザ側では下向けリンク（ＤＬ）ＤＰＣＣＨに対する信号対干渉比（ＳＩＲ）を測定した後、同様にこの測定値に基づいて伝送電力制御（ＴＰＣ）ビットを作り、上向けリンク（ＵＬ）ＤＰＣＣＨを介して伝送する。
【００１５】
その後、パケット伝送に必要な十分の電力制御が完了すると、上向けリンク（ＵＬ）共通パケットチャネル（ＣＰＣＨ）を介してパケットが伝送される。
【００１６】
このように共通パケットチャネル（ＣＰＣＨ）を介してパケットが伝送されている間にはユーザ側（ＵＥ）は他のチャネルを探索しない。
【００１７】
ところが、ユーザ側（ＵＥ）に割り当てられた共通パケットチャネル（ＣＰＣＨ）を介して該パケットが伝送されている途中にもこの共通パケットチャネル（ＣＰＣＨ）を介してパケット伝送を中止したり、またはチャネルを解除しなければならない場合がある。
【００１８】
しかしながら、３ＧＰＰに提案された関連スタンダードではまだ共通パケットチャネル（ＣＰＣＨ）を介したパケット伝送を中断したり、パケットが伝送されている共通パケットチャネル（ＣＰＣＨ）を迅速に解除させる緊急停止のための制御の手順が提示されていない状況である。
【００１９】
通常に制御チャネルを用いて緊急停止制御情報を伝送する方法が考えられる。
【００２０】
かかる方法のうち一つとして、ユーザ側（ＵＥ）が共通パケットチャネル（ＣＰＣＨ）を介してパケットを伝送しているとき、下向けリンク（ＤＬ）専用物理チャネル（ＤＰＣＨ）を介せず、他のチャネル、例えば伝送チャネルの放送チャネル（ＢＣＨ：Ｂｒｏａｄｃａｓｔｉｎｇ  Ｃｈａｎｎｅｌ）と、マッピングされる下向けリンク（ＤＬ）物理チャネルの第１共通制御物理チャネル（ＰＣＣＰＣＨ：Ｐｒｉｍａｒｙ  ｃｏｍｍｏｎ  Ｃｏｎｔｒｏｌ  Ｐｈｙｓｉｃａｌ  Ｃｈａｎｎｅｌ）を介して緊急停止制御情報を伝送されることができる。しかしながら、このように制御チャネル（ＣＣＨ）を介して伝送された制御情報が元の情報に取り戻すためにはデコーディングを経なければならず、緊急停止のための制御情報であるかが分かるまでの時間は最小限の制御情報を伝送する該チャネルの伝送時間間隔（ＴＴＩ：Ｔｒａｎｓｐｏｒｔ  Ｔｉｍｅ  Ｉｎｔｅｒｖａｌ）より更に長い遅延が発生する。
【発明の開示】
【発明が解決しようとする課題】
【００２１】
本発明は上記のような問題に鑑みて成されたもので、ユーザ側が現在割り当てられていた共通パケットチャネル（ＣＰＣＨ）を介してパケットを伝送しているとき、緊急停止制御情報をいち早く伝送できるようにすることで、ユーザ側がより迅速に緊急停止を行えるようにした共通パケットチャネルに対する緊急停止制御情報の伝送方法を提供することに目的がある。
【課題を解決するための手段】
【００２２】
本発明の共通パケットチャネル（ＣＰＣＨ）に対する制御情報の伝送方法は、ユーザ側（ＵＥ）が割り当てられた上向けリンク（ＵＬ）共通パケットチャネル（ＣＰＣＨ）を介してネットワークにパケットデータを伝送する無線移動通信システムにおいて、ネットワーク側（ＵＴＲＡＮ）が特定のビットパターンを下向けリンク（ＤＬ）専用物理チャネル（ＤＰＣＨ）に挿入した後、ユーザ側（ＵＥ）に前記特定のビットパターンを伝送する第１段階と、ユーザ側（ＵＥ）が前記特定のビットパターンを認識する第２段階と、ユーザ側（ＵＥ）が上向けリンク（ＵＬ）共通パケットチャネル（ＣＰＣＨ）を介したデータ電送を制御する第３段階とを備ることを特徴とする。
【００２３】
本発明の共通パケットチャネルに対する緊急停止制御情報の伝送方法は、前記第１段階で前記特定のビットパターンを前記下向けリンク（ＤＬ）専用物理チャネル（ＤＰＣＨ）の無線フレーム全体に亘ってスロット毎に伝送することを特徴としてもよい。
【００２４】
本発明の共通パケットチャネルに対する緊急停止制御情報の伝送方法は、前記第１段階で前記下向けリンク（ＤＬ）専用物理チャネル（ＤＰＣＨ）のデータチャネル（ＤＰＤＣＨ）へ特定のパターンのビット列を伝送することを特徴としてもよい。
【００２５】
本発明の共通パケットチャネルに対する緊急停止制御情報の伝送方法は、前記第１段階で前記下向けリンク（ＤＬ）専用物理チャネル（ＤＰＣＨ）のデータチャネル（ＤＰＤＣＨ）へ一般のパターンのビット列を繰り返して伝送した後、前記データチャネル（ＤＰＤＣＨ）へ前記一般のパターンのビット列とは異なる特定のパターンのビット列を伝送することを特徴としてもよい。
【００２６】
本発明の共通パケットチャネルに対する緊急停止制御情報の伝送方法は、前記第１段階で前記ネットワーク側（ＵＴＲＡＮ）が前記下向けリンク（ＤＬ）専用物理チャネル（ＤＰＣＨ）のデータチャネル（ＤＰＤＣＨ）に特定のビットパターンを挿入させ伝送するとき、前記下向けリンク（ＤＬ）専用物理チャネル（ＤＰＣＨ）の制御チャネル（ＤＰＣＣＨ）に伝送全力下降命令ビットを挿入させ伝送することを特徴としてもよい。
【００２７】
本発明の共通パケットチャネルに対する緊急停止制御情報の伝送方法は、前記第１段階で前記特定のビットパターンを挿入させ伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成するパイロットフィールドに特定のビットパターンを挿入させ、前記ユーザ側（ＵＥ）へ伝送することを特徴としてもよい。  本発明の共通パケットチャネルに対する緊急停止制御情報の伝送方法は、前記パイロットフィールドに挿入させる特定のビットパターンは、前記下向けリンク共通パケットチャネルを介して現在パケットが伝送されている一般の状態で伝送されるパイロットビットパターンとは異なるパイロットビットパターンを伝送することを特徴としてもよい。
【００２８】
本発明の共通パケットチャネルに対する緊急停止制御情報の伝送方法は、前記第１段階で前記特定のビットのパターンは前記一般の状態で伝送されるパイロットビットパターンの符号を反転させることを特徴としてもよい。
【００２９】
本発明の共通パケットチャネルに対する緊急停止制御情報の伝送方法は、前記一般の状態で伝送されるパイロットのフィールドに挿入されるビット列の半分を反転させて伝送することを特徴としてもよい。
【００３０】
本発明の共通パケットチャネルに対する緊急停止制御情報の伝送方法は、前記第１段階で前記ユーザ側に特定の制御情報を伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成する伝送電力制御（ＴＰＣ）フィールドに特定のビットパターンを挿入させ、前記ユーザ側（ＵＥ）へ伝送することを特徴としてもよい。
【００３１】
本発明の共通パケットチャネルに対する緊急停止制御情報の伝送方法は、前記伝送電力制御（ＴＰＣ）フィールドに前記特定のビットパターンを挿入させ伝送するとき、前記下向けリンク専用物理チャネル（ＤＰＣＨ）の制御チャネル（ＤＰＣＣＨ）のパイロットフィールドに一般的なパイロットビットパターンとは異なるパイロットビットパターンを伝送することを特徴としてもよい。
【００３２】
本発明の共通パケットチャネルに対する緊急停止制御情報の伝送方法は、前記下向けリンク（ＤＬ）専用物理チャネル（ＤＰＣＨ）のデータチャネル（ＤＰＤＣＨ）と前記下向けリンク（ＤＬ）専用物理チャネル（ＤＰＣＨ）の制御チャネル（ＤＰＣＣＨ）を介して伝送されるパイロットビットは一般の状態であるときと前記特定のビットパターンを挿入するとき、互いに直交するか異なる符号を有することを特徴としてもよい。
【００３３】
本発明の共通パケットチャネルに対する緊急停止制御情報の伝送方法は、前記伝送電力制御（ＴＰＣ）フィールドに挿入される前記特定のビットパターンが前記下向けリンク専用物理チャネル（ＤＰＣＨ）の制御チャネル（ＤＰＣＣＨ）を介して伝送されるビットパターンと直交性を有するようにすることを特徴としてもよい。
【００３４】
本発明の共通パケットチャネルに対する緊急停止制御情報の伝送方法は、前記下向けリンク専用物理チャネル（ＤＰＣＨ）のデータチャネル（ＤＰＤＣＨ）を介して伝送されるビットパターンは前記下向けリンク専用物理チャネルの制御チャネル（ＤＰＣＣＨ）を介して伝送される伝送電力制御（ＴＰＣ）ビットパターンまたはパイロットビットパターンと前記特定の制御情報を伝送するときに互いに直交するか異なる符号を有することを特徴としてもよい。
【００３５】
本発明の共通パケットチャネルに対する緊急停止制御情報の伝送方法は、前記共通パケットチャネルに対する制御情報伝送は前記下向けリンク専用物理チャネルの制御チャネルを介して伝送フォーマット組合せ識別子（ＴＦＣＩ）ビットを伝送する場合に適用されることを特徴としてもよい。
【００３６】
本発明の共通パケットチャネルに対する緊急停止制御情報の伝送方法は、前記共通パケットチャネルに対する制御情報伝送は前記下向けリンク専用物理チャネルの制御チャネルを介して伝送フォーマット組合せ識別子ビットを伝送しない場合に適用されることを特徴としてもよい。
【００３７】
本発明の共通パケットチャネルに対する緊急停止制御情報の伝送方法は、現在割り当てられた上向けリンク（ＵＬ）共通パケットチャネル（ＣＰＣＨ）を介してユーザ側（ＵＥ）が該パケットを伝送する段階と、前記ユーザ側（ＵＥ）にパケット伝送中止を命令するための制御情報を伝送しようとするとき、ネットワーク側（ＵＴＲＡＮ）が下向けリンク（ＤＬ）の専用物理チャネル（ＤＰＣＨ）に特定のビットパターンを挿入して前記ユーザ側（ＵＥ）へ伝送する段階と、前記ユーザ側（ＵＥ）が前記伝送された特定のビットパターンを確認した後、前記共通パケットチャネル（ＣＰＣＨ）を介したパケット伝送を中止する段階とからなることを他の特徴とする。
【００３８】
本発明の共通パケットチャネルに対する緊急停止制御情報の伝送方法は、前記特定のビットパターンを前記下向けリンク（ＤＬ）専用物理チャネル（ＤＰＣＨ）の無線フレーム全体に亘ってスロット毎に伝送することを特徴としてもよい。
【００３９】
本発明の共通パケットチャネルに対する緊急停止制御情報の伝送方法は、前記下向けリンク（ＤＬ）専用物理チャネル（ＤＰＣＨ）のデータチャネル（ＤＰＤＣＨ）に特定のパターンのビット列を伝送することを特徴としてもよい。
【００４０】
本発明の共通パケットチャネルに対する緊急停止制御情報の伝送方法は、前記特定のビットのパターンを挿入させ、伝送する場合、前記ネットワーク側（ＵＴＲＡＮ）が前記下向けリンク（ＤＬ）専用物理チャネル（ＤＰＣＨ）の制御チャネル（ＤＰＣＣＨ）を構成するパイロットフィールドに特定のビットパターンを挿入させ、前記ユーザ側（ＵＥ）へ伝送することを特徴としてもよい。
【００４１】
本発明はユーザ側が現在割り当てられていた共通パケットチャネル（ＣＰＣＨ）を介してパケットを伝送しているとき、緊急停止制御情報を速やかに伝送することによって緊急停止がより迅速に行えるようにした共通パケットチャネルに対する緊急停止制御情報の伝送方法を提供するためのものであって、ユーザ側（ＵＥ）が割り当てられた上向けリンク（ＵＬ）共通パケットチャネル（ＣＰＣＨ）を介してネットワークにパケットデータを伝送する無線移動通信システムにおいて、ネットワーク側（ＵＴＲＡＮ）が特定のビットパターンを下向けリンク（ＤＬ）専用物理チャネル（ＤＰＣＨ）に挿入した後、ユーザ側（ＵＥ）に前記特定のビットパターンを伝送する第１段階と、ユーザ側（ＵＥ）が前記特定のビットパターンを認識する第２段階と、ユーザ側（ＵＥ）が上向けリンク（ＵＬ）共通パケットチャネル（ＣＰＣＨ）を介したデータ電送を制御する第３段階とを備えて成ることにより、ユーザ側（ＵＥ）が現在割り当てられた共通パケットチャネル（ＣＰＣＨ）を介してパケットを伝送しているとき、共通パケットチャネル（ＣＰＣＨ）と関係した下向けリンク（ＤＬ）ＤＰＣＣＨ、ＤＰＤＣＨ、またはこれらの両チャネル全部を介して緊急な制御情報がより迅速に伝送される効果がある。
【発明の効果】
【００４２】
以上で説明したような本発明に係る共通パケットチャネル（ＣＰＣＨ）に対する制御情報の伝送方法によれば、ユーザ側（ＵＥ）が現在割り当てられた共通パケットチャネル（ＣＰＣＨ）を介してパケットを伝送しているとき、共通パケットチャネル（ＣＰＣＨ）と関係した下向けリンク（ＤＬ）ＤＰＣＣＨ、ＤＰＤＣＨ、またはこれらの両チャネル全部を介して緊急な制御情報が迅速に伝送され得るだけでなく、より安定的な伝送効果が得られる。
【発明を実施するための最良の形態】
【００４３】
以下、本発明に係る共通パケットチャネル（ＣＰＣＨ）に対する緊急停止制御情報伝送方法の好ましい実施の形態を添付の図面に基づいて説明する。
【００４４】
図３は本発明に係る共通パケットチャネル（ＣＰＣＨ）に対する制御情報の伝送方法のうち緊急中断信号の伝達順序を説明するための図面である。
【００４５】
前記本発明に係る共通パケットチャネル（ＣＰＣＨ）に対する制御情報伝送方法のうち緊急中断信号の伝達はＣＰＣＨデータ伝送中に発生しうる基地局（Ｎｏｄｅ  Ｂ）ＲＲＣ６の不正常的なシステム動作を解決するためのもので（例えば、セル容量の一時的な過負荷などの解決のため）、図３のように共通パケットチャネル（ＣＰＣＨ）伝送の緊急中断を行うようになる。
【００４６】
まず、基地局（Ｎｏｄｅ  Ｂ）ＲＲＣ６からＣＰＨＹ−ＣＰＣＨ−Ｅｓｔｏｐ−ＲＥＱを介して緊急停止命令を受信した基地局第１階層（Ｎｏｄｅ  Ｂ  Ｌ１)(Ｎｏｄｅ  Ｂ  ＰＨＹ）は下向けリンク専用物理制御チャネル（ＤＬ ＤＰＣＣＨ）を介して緊急中断命令、つまりＣＰＣＨ−Ｅｓｔｏｐ−Ｃｏｍｍａｎｄをユーザ側の物理階層（ＵＥ ＰＨＹ）４へ伝送する。
【００４７】
ユーザ側の物理階層（ＵＥ ＰＨＹ）４はＣＰＣＨ−Ｅｓｔｏｐ−Ｃｏｍｍａｎｄを感知し次第にユーザ側の物理資源階層（ＵＥ  ＲＲＣ）１へＣＰＨＹ−ＣＰＣＨ−Ｅｓｔｏｐ−ＩＮＤを伝送し、この状況を報告する。このとき、ユーザ側の物理資源階層（ＵＥ  ＲＲＣ）１はＣＰＨＹ−ＣＰＣＨ−Ｅｓｔｏｐ−Ｒｅｓｐをユーザ側の第１階層（ＵＥＬ１）(ＵＥ−ＰＨＹ)４へ送り、共通パケットチャネル（ＣＰＣＨ）を介したメッセージ伝送の中止を命令する。
【００４８】
ユーザ側の第１階層（ＵＥ  Ｌ１）(ＵＥ−ＰＨＹ) はユーザ側の無線資源階層（ＵＥ  ＲＲＣ）１の命令に従ってメッセージ伝送中断、つまり緊急中断を行う。
【００４９】
ユーザ側の第１階層（ＵＥ  Ｌ１）(ＵＥ−ＰＨＹ)１の共通パケットチャネル（ＣＰＣＨ）伝送中断の後、ユーザ側の第１階層（ＵＥ  Ｌ１）(ＵＥ−ＰＨＹ)１はユーザ側のミディアムアクセス制御階層（ＵＥ−ＭＡＣ）３にＰＨＹ−Ｓｔａｔｕｓ−ＩＮＤを伝送して緊急中断の完了を知らせる。
【００５０】
一方、共通パケットチャネルリンクの損失（ＣＰＣＨ  ｌｉｎｋ  ｌｏｓｓ）を感知した基地局の第１階層（Ｎｏｄｅ  Ｂ  Ｌ１)(Ｎｏｄｅ  Ｂ  −ＰＨＹ）はＣＰＨＹ−ＣＰＣＨ−Ｅｓｔｏｐ−ＣＮＦを基地局の無線資源制御階層（Ｎｏｄｅ  Ｂ  ＲＲＣ）６へ伝送する。
【００５１】
このとき、下向けリンク専用物理制御チャネル（ＤＬ  ＤＰＣＣＨ）の伝送も中断される。
【００５２】
次は下向けリンク（ＤＬ）ＤＰＣＣＨを介して伝送フォーマット組合せ識別子（ＴＦＣＩ）ビットを伝送しない場合と、伝送フォーマット組合せ識別子（ＴＦＣＩ）ビットを伝送する場合とに対して本発明に係る共通パケットチャネル（ＣＰＣＨ）に対する制御情報の伝送方法を説明する。
【００５３】
図４は本発明の共通パケットチャネル（ＣＰＣＨ）に対する制御情報を伝送するための多様な実施形態を説明するための図面である。
【００５４】
まず、下向けリンク（ＤＬ）専用物理制御チャネル（ＤＰＣＣＨ）を介して伝送フォーマット組合せ識別子（ＴＦＣＩ）ビットを伝送しない場合（又は、専用物理制御チャネル（ＤＰＣＣＨ）に伝送フォーマット組合せ識別子（ＴＦＣＩ）フィールドがない場合）、共通パケットチャネル（ＣＰＣＨ）に対する制御情報は下向けリンク（ＤＬ）専用物理データチャネル（ＤＰＤＣＨ）を使って伝送され、場合によって制御情報を伝達するための下向けリンク（ＤＬ）専用物理データチャネル（ＤＰＣＣＨ）のフィールドが組み合って使われる。このとき、緊急停止のような制御情報は伝送受信が遅延されずに伝送されるべきであるので、本発明では無線フレーム全体を用いて緊急停止を知らせる制御ビットがスロット単位で連続して伝送される。
【００５５】
かかる第一例として、従来は上向けリンク（ＵＬ）共通パケットチャネル（ＣＰＣＨ）を介して現在パケットが伝送されている一般の状態で下向けリンク（ＤＬ）ＤＰＣＣＨが共通パケットチャネル（ＣＰＣＨ）の電力制御のために使われ、ＤＰＤＣＨは伝送されない。ところが、本発明では緊急停止のための制御情報をユーザ側（ＵＥ）へ伝達するためにＤＰＤＣＨを介して特定のパターンのビット列を伝送する。
【００５６】
第二例として、本発明では下向けリンク（ＵＬ）共通パケットチャネル（ＣＰＣＨ）を介して現在パケットが伝送されている一般の状態で下向けリンク（ＤＬ）ＤＰＣＣＨが共通パケットチャネル（ＣＰＣＨ）の電力制御のために使われ、前記一般の状態でＤＰＤＧＨへも特定のパターンのビット列が繰り返して伝送されるうち、緊急停止のための制御情報をユーザ側（ＵＥ）へ伝達しなければならない緊急停止制御の状態ではこのＤＰＤＣＨを介して別のパターンのビット列を伝送する。例えば、一般の状態では″００００″をＤＰＤＣＨへ伝送し、緊急停止制御状態では″１１１１″を伝送する。
【００５７】
第三例として、前記第一例または第二例を適用しつつ緊急停止制御状態の時に下向けリンク（ＤＬ）ＤＰＣＣＨの伝送電力制御（ＴＰＣ）フィールドに電力下降命令を知らせる電力制御ビットを挿入して伝送する。
【００５８】
第四例として、上向けリンク（ＵＬ）共通パケットチャネル（ＣＰＣＨ）を介して現在パケットが伝送されている一般の状態で下向けリンク（ＤＬ）ＤＰＣＣＨのパイロットフィールドに一般的なパイロットビットパターンを挿入して伝送するうち、緊急停止のための制御情報をユーザ側（ＵＥ）へ伝達しなければならない緊急停止制御の状態では任意の他のパイロットビットパターンを伝送する。
【００５９】
例えば、緊急停止制御の状態になると、一般の状態では伝送されなかった別のパイロットビットパターン″００００″を伝送するか、一般の状態で伝送されていたパイロットビットパターンと直交性を有するパイロットビットパターンを伝送する。
【００６０】
具体的に説明すると、一般の状態でパイロットフィールドに挿入されるビット列がＮビットであればこのうち最下位ビット（ＬＳＢ）または最上位ビット（ＭＳＢ）の（Ｎ／２）ビットを反転させた後、挿入して伝送することである。
【００６１】
または、一般状態のパイロットビットパターンに対して符号を反転させた後、挿入して伝送する。
【００６２】
第五例として、前記第一例または第二例を適用しつつ緊急停止制御状態の時に下向けリンク（ＤＬ）ＤＰＣＣＨの伝送電力制御（ＴＰＣ）フィールドに電力降下命令を知らせる電力制御ビットを挿入して伝送し、また、前記第四例のように、一般の状態で伝送されていたパイロットビットパターンと互いに異なるパイロットビットパターンを下向けリンク（ＤＬ）ＤＰＣＣＨへ伝送する。
【００６３】
この場合はＤＰＤＣＨを介して伝送されるビットパターンがＤＰＣＣＨを介して伝送されるパイロットビットパターンと緊急停止制御状態の時に互いに直交するか互いに異なる符号を有する。
【００６４】
第六例として、前記第一例または第二例を適用しつつ緊急停止制御状態の時に下向けリンク（ＤＬ）ＤＰＣＣＨの伝送電力制御（ＴＰＣ）フィールドに挿入されるビットパターンがＤＰＤＣＨを介して伝送されるビットパターンと直交性を有するようにするし、また、前記第四例のように、一般の状態で伝送されていたパイロットビットパターンと直交性を有するパイロットビットパターンを下向けリンク（ＤＬ）ＤＰＣＣＨへ伝送する。
【００６５】
例えば、伝送電力制御（ＴＰＣ）フィールドに挿入されるビットを″１，−１″または″−１，１″とする。この場合には一つのスロットからＤＰＤＣＨを介して伝送されるビットパターンはＤＰＣＣＨを介して伝送される伝送電力制御（ＴＰＣ）ビットパターンまたはパイロットビットパターンと緊急停止制御状態の時に互いに直交するか互いに異なる符号を有する。
【００６６】
次は、下向けリンク（ＤＬ）ＤＰＣＣＨを介して伝送フォーマット組合せ識別子（ＴＦＣＩ）ビットを伝送する場合について説明する。ここで、下向けリンク（ＤＬ）ＤＰＣＣＨとＤＰＤＣＨに対するチャネル情報を表２に示した。
【００６７】
【表２】
2006148944.tif 000004
このように下向けリンク（ＤＬ）ＤＰＣＣＨを介して伝送フォーマット組合せ識別子（ＴＦＣＩ）ビットを伝送する場合には前記実施の形態のうち第六例を除いた他の適用例が可能である。
【００６８】
ところが、下向けリンク（ＤＬ）ＤＰＣＣＨを介して伝送フォーマット組合せ識別子（ＴＦＣＩ）ビットを伝送する場合にも、一つのスロットで伝送フォーマット組合せ識別子（ＴＦＣＩ）ビットを除いた他のＤＰＣＣＨのビットパターンがＤＰＤＣＨのビットパターンと互いに直交するか互いに異なる符号を有するようにして適用できる。そして、伝送フォーマット組合せ識別子（ＴＦＣＩ）フィールドのデータを用いて制御信号を伝送することができる。伝送フォーマット組合せ識別子（ＴＦＣＩ）フィールドに緊急停止以外の他の用途の情報が伝送される場合、フレーム当たり１０ビットの情報ビットを互いに異なる情報が共有して使用する。
【００６９】
例えば、１０ビットのうち８ビットをチャネル情報伝送のために使用し、２ビットは緊急停止のために使用するのである。このとき、緊急停止のために割り当てられた２ビットの内容は一般の状態で″００″、緊急停止制御の状態では″１１″となる。
【００７０】
次は前記各実施の形態を適用して共通パケットチャネル（ＣＰＣＨ）に対する制御情報を伝送する過程をより詳細に説明する。
【００７１】
図５は本発明の共通パケットチャネル（ＣＰＣＨ）に対する制御情報伝送方法の一例を説明するための装置構成図である。
【００７２】
このような本発明の共通パケットチャネルに対する制御情報の伝送方法を説明するための装置の構成は専用物理チャネル（ＤＰＣＨ）のデータを逆多重化するデ-マクス（Ｄｅ−ＭＵＸ）１１と、前記データのうちパイロット信号を比較する第１比較器１２と、前記専用物理チャネル（ＤＰＣＨ）のデータのうち専用物理データチャネル（ＤＰＤＣＨ）のデータを比較する第２比較器１３と、前記第１比較器１２の出力信号をカウントし、カウント結果に従って緊急停止命令を発生させるカウンタ１４とから成っている。
【００７３】
まず、図５の構成において前記第一例と第二例を適用すると、ユーザ側（ＵＥ）はＤＰＣＣＨをデコーディングする一方、別にＤＰＤＣＨにあるデータもをデコーディングする。
【００７４】
第一例でＤＰＤＣＨを介して特定のパターンのビット列が伝送される場合には従来と異なり、ＤＰＤＣＨ伝送エネルギーが用いられるので、ユーザ側（ＵＥ）はＤＰＤＣＨにエネルギーが存在するかとＤＰＤＣＨを介して特定のパターンのビット列が伝送されるかを確認することで緊急停止のような制御情報を認知することができる。
【００７５】
第二例ではユーザ側（ＵＥ）がＤＰＤＣＨをデコーディングし続けるうち一般状態のビットパターンにて別のパターンのビット列の伝送が確認されると、緊急停止のような制御情報が伝送されたことを認知する。
【００７６】
その後、一定数以上のスロットから続けて緊急停止制御情報が受信されると、ユーザ側（ＵＥ）は共通パケットチャネル（ＣＰＣＨ）を介したパケット伝送を中断する。
【００７７】
次は図５の装置構成において前記第三例を適用した場合である。
【００７８】
このときは前記第一例または第二例が適用されつつ緊急停止制御状態の時に下向けリンク（ＤＬ）ＤＰＣＣＨの伝送電力制御（ＴＰＣ）フィールドに電力下降命令を知らせる電力制御ビットが挿入され伝送される。これは第一例及び第二例の適用時、多数のスロットを観察する間にユーザ側（ＵＥ）で電力をフルに使わないようにするためである
次は図５の装置構成において前記第四例を適用させた場合である。
【００７９】
このときは下向けリンク（ＤＬ）共通パケットチャネル（ＣＰＣＨ）を介して現在パケットが伝送されている一般の状態では下向けリンク（ＤＬ）ＤＰＣＣＨのパイロットフィールドに一般的なパイロットビットパターンが挿入され伝送され、緊急停止のための制御情報をユーザ側（ＵＥ）へ伝達しなければならない緊急停止制御の状態では任意の他のパイロットビットパターンが伝送される。
【００８０】
このときは前記第一例と第二例とは異なり、ユーザ側（ＵＥ）がＤＰＤＣＨに対して続けてデコーディングを行う必要はない。
【００８１】
次は図５の装置構成において前記第五例を適用した場合である。
【００８２】
このときは前記第一例または第二例を適用しつつ緊急停止制御状態の時に下向けリンク（ＤＬ）ＤＰＣＣＨの伝送電力制御（ＴＰＣ）フィールドに電力降下命令を知らせる電力制御ビットが挿入され伝送され、また、前記第四例のように、一般の状態で伝送されていたパイロットビットパターンと直交性を有するパイロットビットパターンを下向けリンク（ＤＬ）ＤＰＣＣＨへ伝送される。
【００８３】
この場合はまず、ユーザ側（ＵＥ）がＤＰＤＣＨをデコーディングするうち、ＤＰＤＣＨにおけるエネルギーの有無とＤＰＤＣＨを介して特定のパターンのビット列が伝送されたかが認知されると、次の下向けリンク（ＤＬ）ＤＰＣＣＨのパイロットフィールドに緊急停止制御情報を示す特定のパイロットビットパターンでこれを確認する。
【００８４】
尚、この場合にはまず、下向けリンク（ＤＬ）ＤＰＣＣＨのパイロットフィールドに緊急停止制御情報を示す特定のパイロットビットパターンが伝送されたかが認知されると、次のユーザ側（ＵＥ）がＤＰＤＣＨをデコーディングするうち、ＤＰＤＣＨにおけるエネルギーの有無とＤＰＤＣＨを介して特定のパターンのビット例が伝送されたかによってこれを確認する。
【００８５】
別に、かかる動作を同時に行うことによって緊急停止制御情報を確認することもできる。
【００８６】
次は図５の装置構成において前記第六例を適用した場合である。
【００８７】
このときは一つのスロットの間ＤＰＤＣＨを介して伝送されるビットパターンとＤＰＣＣＨを介して伝送されるビットパターンとを互いに比較した後、これらの二つのチャネルのビットパターンが互いに直交しているかによって緊急停止制御情報が伝送されたかの可否を確認する。
【００８８】
このように各実施形態を介してユーザ側（ＵＥ）は緊急停止のような制御情報を受信確認することができ、これについて並べると、緊急停止のような緊急制御命令をユーザ側（ＵＥ）へ伝送すべきの場合、ネットワーク側（ＵＴＲＡＮ）は前記多様な実施形態の中一つの方法を選択する。このとき、緊急停止制御情報は各スロットを介して継続的に伝送し、ユーザ側（ＵＥ）は緊急停止制御情報が存在するかを観察し続けるうち、最初の制御情報が認知されると、一定数のスロット区間を観察して緊急停止制御情報を検出する。
【００８９】
その後、ユーザ側（ＵＥ）は一定数以上のスロットから緊急停止制御情報が受信されると、共通パケットチャネル（ＣＰＣＨ）を介したパケット伝送を中断する。それから、ネットワーク側（ＵＴＲＡＮ）は緊急停止制御命令を伝送した後、ユーザ側（ＵＥ）からパケット伝送が中断されているかを確認する。
【図面の簡単な説明】
【００９０】
【図１】３ＧＰＰスタンダードによる下向けリンク専用物理チャネル（ＤＰＣＨ）の構造を示す図面。
【図２】３ＧＰＰスタンダードによる下向けリンク専用物理制御チャネル（ＤＰＣＣＨ）と共通パケットチャネル（ＣＰＣＨ）間の関係を説明するための図面。
【図３】本発明の共通パケットチャネル（ＣＰＣＨ）に対する制御情報伝送方法の一例を説明するための信号伝達順序図。
【図４】本発明の共通パケットチャネル（ＣＰＣＨ）に対する制御情報を伝送するための多様な実施形態を説明するための図面。
【図５】本発明の共通パケットチャネル（ＣＰＣＨ）に対する制御情報の伝送方法の一例を説明するための装置構成図。
【符号の説明】
【００９１】
１１  逆多重化部
１２  比較部
１３  比較部
１４  カウンター
【図１】
2006148944.tif 000005
【図２】
2006148944.tif 000006
【図３】
2006148944.tif 000007
【図４】
2006148944.tif 000008
【図５】
2006148944.tif 000009